(57)【要約】      （修正有）【課題】フリックション作動玩具を動作させることにより、動作にかかる効果音およびＬＥＤ光を提供して視聴覚的な効果を同時に提供し、幼児に対して新奇さを与えるようにした回転速度を感知して反応を異にするフリックション作動玩具を提供すること。【解決手段】フライ・ホイール２が内蔵されたギア・ボックス３と、スピーカ４と、バッテリー部５とが内設され、車体の前・後方に車輪９が具備されたフリックション作動（friction-moving）玩具１において、前記ギア・ボックス３の両面にはスタートスイッチとリーフスイッチ６とを結合・固定し、前記車体の内部ベースフレーム１７には、衝撃感知センサーを設け、前記スタートスイッチ、リーフスイッチ６、および衝撃感知センサーの作動により、プロセッサの指示でＬＥＤが点灯されるようにした。【選択図】図１
2005192988.tif 000002
【特許請求の範囲】
【請求項１】
フライ・ホイール（２）が内蔵されたギア・ボックス（３）と、スピーカ（４）と、バッテリー部（５）とが内設され、前記ギア・ボックス（３）の一端は連結ロード（１１）によって回動可能になるようにピン（８）によってベースフレーム（１７）に固定されるとともに、他端は前記ギア・ボックス（３）をベースフレーム（１７）側に付勢させるスプリング（１４）で構成されたサスペンション（１３）が設けられ、車体の前・後方に車輪（９）が具備されたフリックション作動（friction-moving）玩具（１）において、
前記ギア・ボックス（３）の両面にはスタートスイッチ（１２）とリーフスイッチ（６）とを結合・固定し、
前記スタートスイッチ（１２）は、一方のサスペンション（１３）のスプリング（１４）と共に昇降するように固定された作動部材（１６）によって作動されるようにし、
前記リーフスイッチ（６）は、車輪（９）が結合された回転軸（１０）に形成されている作動カム（７）によって作動されるようにし、
前記車体の内部ベースフレーム（１７）には、衝撃感知センサー（１９）およびプロセッサ（１８）が具備された基板（１５）を設け、
前記バッテリー部（５）によって電源が供給される基板（１５）を結合し、前記スタートスイッチ（１２）およびリーフスイッチ（６）を電気的に連結・構成して制御できるようにし、
車体の外部には様々な色相のＬＥＤ（２０）を設けて基板（１５）と電気的に連結し、前記スタートスイッチ（１２）、リーフスイッチ（６）、および衝撃感知センサー（１９）の作動により、プロセッサ（１８）の指示でＬＥＤ（２０）が点灯されるようにしたことを特徴とする回転速度を感知して反応を異にするフリックション作動玩具。
【発明の詳細な説明】
【技術分野】
【０００１】
本発明は、回転速度を感知して反応を異にするフリックション作動（friction-moving）玩具に係り、より詳しくは、車体を押圧する力および駆動される車輪の速度に応じてエンジン音、始動音、出発音、衝突音、ブレーキ音、アクセラレーター音のような様々な音響効果とそれによるＬＥＤ光とを同時に提供する視聴覚的な効果を利用し、幼児に親近感と興味を誘発させて新奇さを提供できるようにした、フリックション作動玩具に関する。
【背景技術】
【０００２】
近年、幼児や子供のための様々な玩具が提供されてきており、その代表的なものとしてフリックション作動玩具が挙げられる。
【０００３】
前記フリックション作動玩具の特徴を説明すると、その主な使用者は３〜４歳以下の幼児であって、通常保護者と共に遊ぶケースが多い。このような玩具の開発に際しては、消費者は機能よりは外観を重視していることから、幼児の興味を誘発させるために玩具の外観に重点を置いて開発するケースが多い。ところで、玩具が作動される際に効果音とＬＥＤ光とを同時に提供するような視聴覚的な効果を提供する機能的な手段を具備した玩具はほとんどなく、成功的な製品を作り出すことは非常に難しかった。
【０００４】
この間にも、様々な効果音およびＬＥＤ光を提供できる様々なモデルのフリックション作動玩具が発売されているが、これらの製品は、停止状態において作動玩具に具備された複数のボタンを押して効果音およびＬＥＤ光を提供できるようにしたものであって、玩具の動作による効果音やＬＥＤ光などを提供することはできなかったので、主な使用者である幼児は、ボタンを押すことや玩具が動くこと自体には興味を提供してくれるものの、幼児はすぐ嫌気がさしたり、飽きたりしてしまうという問題点があった（例えば、特許文献１参照。）。
【特許文献１】登録実用新案第３０３０１３０号公報
【発明の開示】
【発明が解決しようとする課題】
【０００５】
そこで、本発明者は、かかる従来のフリックション作動玩具が有する諸問題点を解決できる新規な構成のフリックション作動玩具を提供するために本発明を研究・開発した。
【０００６】
本発明の目的は、フリックション作動玩具を動作させることにより、動作にかかる効果音およびＬＥＤ光を提供して視聴覚的な効果を同時に提供し、幼児に対して新奇さを与えるようにした回転速度を感知して反応を異にするフリックション作動玩具を提供することにある。すなわち、本発明の目的は、車輪を床で転がしたとき、サスペンションの移動によってスタートスイッチが作動されてエンジン音および始動音を提供できるようにし、車輪の回転時には、車輪と共に回転するスイッチカムによって作動されるリーフスイッチで速度を感知し、出発音、アクセラレーター音、およびブレーキ音と共にＬＥＤ光を提供し、障害物などで玩具の動作が止められるまで、衝撃音とＬＥＤ光とを提供できるようにした回転速度を感知して反応を異にするフリックション作動玩具を提供することにある。
【課題を解決するための手段】
【０００７】
上記目的を達成するために、本発明の回転速度を感知して反応を異にするフリックション作動玩具は、フライ・ホイールが内蔵されたギア・ボックスと、スピーカと、バッテリー部とが内設され、前記ギア・ボックスの一端は連結ロードによって回動可能になるようにピンによってベースフレームに固定されるとともに、他端は前記ギア・ボックスをベースフレーム側に付勢させるスプリングで構成されたサスペンションが設けられ、車体の前・後方に車輪が具備されたフリックション作動玩具において、前記ギア・ボックスの両面にはスタートスイッチとリーフスイッチとを結合・固定し、前記スタートスイッチは、一方のサスペンションのスプリングと共に昇降するように固定された作動部材によって作動されるようにし、前記リーフスイッチは、車輪が結合された回転軸に形成されている作動カムによって作動されるようにし、前記車体の内部ベースフレームには、衝撃感知センサーおよびプロセッサが具備された基板を設け、前記バッテリー部によって電源が供給される基板を結合し、前記スタートスイッチおよびリーフスイッチを電気的に連結・構成して制御できるようにし、車体の外部には様々な色相のＬＥＤを設けて基板と電気的に連結し、前記スタートスイッチ、リーフスイッチ、および衝撃感知センサーの作動により、プロセッサの指示でＬＥＤが点灯されるようにしたことを特徴とする。
【発明の効果】
【０００８】
本発明によれば、フリックション作動玩具の車輪を床で転がすとき、サスペンションの移動を利用してスタートスイッチを動作させてエンジン音および始動音を提供するとともに、フリックション作動玩具の移動に応じた車輪の回転速度をリーフスイッチで感知してプロセッサに伝送し、速度に応じて出発音、アクセラレーター音、ブレーキ音などを提供することができる。また、基板に設けられた衝撃感知センサーの作動によって衝撃音を提供すると共に、前記様々な効果音と共に作動玩具の外部に露出している複数のＬＥＤを点灯させて視聴覚的な効果を同時に提供することにより、幼児に対して親近感および興味を誘発させることができる。したがって、実際の車両のような音や動作を提供できるので、教育的な効果も併せて得られるなど、非常に実用的で有用な発明である。
【発明を実施するための最良の形態】
【０００９】
図１は本発明の構成を概略的に示す作動玩具の正面図であり、図２、図３は本発明の要部の拡大正面図および背面図であり、図４は本発明に適用された基板の回路構成図であって、以下に本発明の構成を説明する。
【００１０】
本発明に係るフリックション作動玩具は、例えば自動車の形状にすることができ、図面に示すように、フリックション作動玩具１の車体には、フライ・ホイール２が内蔵されたギア・ボックス３と、スピーカ４と、バッテリー部５とが内設され、前記ギア・ボックス３の一端である後端は連結ロード１１によって回動可能になるようにピン８によって車体内部のベースフレーム１７に固定されるとともに、他端である前端はギア・ボックス３をベースフレーム１７側に付勢させるスプリング１４で構成されたサスペンション１３が設けられ、車体の前方と後方には車輪９がそれぞれ具備されたものであり、車輪９を床で転がしたとき、サスペンション１３の移動を利用してスタートスイッチ１２で動作させてエンジン音および始動音を提供し、フリックション作動玩具１の移動に応じた車輪９の回転速度をリーフスイッチ６で感知してプロセッサ１８に伝送し、速度に応じて出発音、アクセラレーター音、ブレーキ音などを提供し、基板１５に設けられる衝撃感知センサー１９の作動によって衝撃音を提供すると共に、前記様々な効果音と同時に作動玩具１の外部に露出している複数のＬＥＤ２０を点灯し、視聴覚的な効果を同時に提供できるようにしたものである。
【００１１】
すなわち、本発明のフリックション作動玩具１は、内設されたギア・ボックス３の左右両面の一面にスタートスイッチ１２を、他面にリーフスイッチ６をそれぞれ結合・固定しており、スタートスイッチ１２は一方のサスペンション１３のスプリング１４と共に昇降されるように固定された作動部材１６によって作動されるようにし、リーフスイッチ６は車輪９が結合された回転軸１０に形成されている作動カム７によって作動可能になるようにしている。
【００１２】
そして、前記車体の内部ベースフレーム１７には衝撃感知センサー１９およびプロセッサ１８が具備されており、バッテリー部５によって電源が供給される基板１５を結合して前記スタートスイッチ１２およびリーフスイッチ６を電気的に連結・構成して制御できるようにしている。
【００１３】
また、車体の外部には様々な色相のＬＥＤ２０を設けており、前記基板１５と電気的に連結し、前記スタートスイッチ１２、リーフスイッチ６、および衝撃感知センサー１９のそれぞれの作動により、プロセッサ１８の指示でＬＥＤ２０を点灯可能にしている。
【００１４】
図４中、２２はバッテリー部５の電源を制御するパワースイッチを示したものである。
【００１５】
以上のように構成された本発明のフリックション作動玩具１は、使用者が床で車輪９を転がしたとき、外部の力によってベースフレーム１７とピン８とで軸結合されたギア・ボックス３は、図２及び図３に示すように、その前方部のベースフレーム１７側に付勢されるスプリング１４で構成されたサスペンション１３によって角度（Ａ）の分ほど上昇してギア・ボックス３の左右両面のうち一面にあるスタートスイッチ１２をクリック（押圧）するとともに、他面にあるリーフスイッチ６を回転軸１０に形成されている作動カム７に連接させる。
【００１６】
このとき、車輪９が回転するときは、車輪９を結合させた回転軸１０に形成されている作動カム７によってリーフスイッチ６がクリック（押圧）されるとともに、回転情報をプロセッサ１８に伝送するようになり、次いで、前記プロセッサ１８に格納された情報によってスピーカ４およびＬＥＤ２０から、様々なエンジン始動音や効果音、そしてＬＥＤ２０による光が具現される。
【００１７】
すなわち、パワースイッチ２２をオン（ＯＮ）にした後、車輪９を床で転がしたとき、サスペンション１３の移動を利用してスタートスイッチ１２がクリックされ、該情報をプロセッサ１８に伝送し、選択されたモード２１で作動されるように、情報をプロセッサ１８に伝送する。ここで、前記モード２１は例えば２つの方法で作動することができ、その一つ目の方法で作動されるときは、スピーカ４からエンジン音および始動音が鳴らされると共に、ＬＥＤ２０が２秒間に亘って０.２５秒の間隔で作動される。２つ目の方法で作動されるときは、スピーカ４から始動音が鳴らされると共に、ＬＥＤ２０が２秒間に亘って０.２５秒の間隔で作動される。なお、このようなモードは製造過程で選択することができ、必ずしも上記モードに限定されるものではない。
【００１８】
また、車輪９の回転情報は、リーフスイッチ６でセンシング（sensing）され、その後、プロセッサ１８に伝送され、該情報、すなわちｒｐｍ測定値が、３０〜１２０ｒｐｍ以下である場合は、前記選択モード２１で作動される。
【００１９】
一方、リーフスイッチ６のｒｐｍ測定値が、１２０ｒｐｍを超える場合は、プロセッサ１８においてスピーカ４から出発音およびアクセラレーター音が鳴らされ、使用者によって車輪９が床で転がされるまでＬＥＤ２０が作動される。
【００２０】
なお、作動玩具１が作動中に衝突した場合は、ベースフレーム１７に具備された衝撃感知センサー１９が作動し、該情報がプロセッサ１８に伝送され、スピーカ４から衝突音が鳴らされ、またＬＥＤは２.５秒間に亘って０.３秒の間隔で作動されるようになる。
【００２１】
また、作動玩具１が衝突せずに、しかも、３０ｒｐｍ以下に減速される場合は、プロセッサ１８の制御により、スピーカ４からブレーキ音が鳴らされ、ＬＥＤ２０は２秒間に亘って作動される。
【００２２】
以上のように、プロセッサ１８を用いて回転情報をリーフスイッチ６に伝送することによって、回転数に応じた様々なエンジン始動音および効果音を具現できる。
【図面の簡単な説明】
【００２３】
【図１】本発明の構成を概略的に示す作動玩具の正面図である。
【図２】本発明の要部の拡大正面図である。
【図３】本発明の要部の拡大背面図である。
【図４】本発明に適用された基板の回路構成図である。
【符号の説明】
【００２４】
１    （フリックション）作動玩具
２    フライ・ホイール
３    ギア・ボックス
４    スピーカ
５    バッテリー部
６    リーフスイッチ
７    作動カム
８    ピン
９    車輪
１０    回転軸
１１    連結ロード
１２    スタートスイッチ
１３    サスペンション
１４    スプリング
１５    基板
１６    作動部材
１７    ベースフレーム
１８    プロセッサ
１９    衝撃感知センサー
２０    ＬＥＤ
２１    モード
【図１】
2005192988.tif 000003
【図２】
2005192988.tif 000004
【図３】
2005192988.tif 000005
【図４】
2005192988.tif 000006